(57)【要約】【課題】広告用頒布物本体の設けられたサービス券領域をサービス券として使用した後においても、広告用頒布物の広告情報量が減少したり、機能が損なわれたりすることのないサービス券付広告用頒布物を提供する。【解決手段】広告情報が記載された紙製広告用頒布物本体１の一面に、サービス券11が、広告用頒布物本体１及びサービス券11を損傷させることなく剥離可能に接合されている。サービス券11は、２層に分離可能な擬似接着層を含む感熱積層フィルムを介して広告用頒布物本体１に接合されている。サービス券11は、周縁がサービス券11と面一となる周枠部12により包囲されている。【選択図】  図１
2005031484.tif 000002
【特許請求の範囲】
【請求項１】
広告情報が記載された広告用頒布物本体の少なくとも一面に、サービス券が、広告用頒布物本体及びサービス券を損傷させることなく剥離可能に接合されてなることを特徴とするサービス券付広告用頒布物。
【請求項２】
広告用頒布物本体及びサービス券が紙製である請求項１に記載のサービス券付広告用頒布物。
【請求項３】
サービス券が、２層に分離可能な擬似接着層を含む感熱積層フィルムを介して広告用頒布物本体に接合されてなる請求項２に記載のサービス券付広告用頒布物。
【請求項４】
サービス券は、周縁がサービス券と面一となる周枠部により包囲されている請求項２又は請求項２に記載のサービス券付広告用頒布物。
【請求項５】
広告用頒布物本体が、円形であって、周縁部近傍に手指挿入孔を備えた簡易うちわ状に形成されている請求項１ないし請求項４のいずれかに記載のサービス券付広告用頒布物。
【発明の詳細な説明】
【技術分野】
【０００１】
この発明は、サービス券付き頒布物、例えば、チラシ、パンフレット、簡易うちわ等によって具体化されるサービス券付広告用頒布物に関する。
【背景技術】
【０００２】
従来、例えば駅前等の街頭において、通行人に直接手渡される広告用頒布物として、チラシ、ビラ、パンフレット、簡易うちわ、ポケットティッシュ等が一般的である。
また、特にチラシ、ビラ等の広告用頒布物には、切り離し線が印刷されたり、切り離し用ミシン目が刻設されたりしてなる割引券、金券、無料優待券等用のサービス券領域を有し、該領域を任意に切り離すことにより、サービス券として利用できるようになされているものもある。
【特許文献１】実用新案登録第３０９３６８２号公報（図２）
【発明の開示】
【発明が解決しようとする課題】
【０００３】
しかしながら、上記広告用頒布物において、サービス券領域をサービス券として使用するために、広告用頒布物から切り離してしまうと、広告用頒布物の外観や機能が損なわれてしまうことがある。
例えば、広告情報が、広告用頒布物の表裏両面に印刷されている場合、サービス券が切り離されてしまった後の広告用頒布物は、無惨な外観を呈することはもとより、裏面の広告情報が喪失されることとなり、広告情報量が減少されてしまうことにもなる。
また、広告用頒布物が単に円形の厚紙からなり、手指挿入孔を備えた簡易うちわである場合、そこからサービス券領域を分離してしまうと、うちわとしての機能が損なわれことになる。
この発明は、上記課題を解決することを目的とするもので、広告用頒布物本体の設けられたサービス券領域をサービス券として使用した後においても、広告用頒布物の広告情報量が減少したり、機能が損なわれたりすることのない広告用頒布物を提供するものである。
【課題を解決するための手段】
【０００４】
上記目的を達成するために、この発明は、広告情報が記載された広告用頒布物本体の少なくとも一面に、サービス券が、広告用頒布物本体及びサービス券を損傷させることなく剥離可能に接合されてなる構成を採用する。
【０００５】
広告用頒布物本体及びサービス券は、紙製であることが好ましい。
サービス券は、２層に分離可能な擬似接着層を含む感熱積層フィルムを介して広告用頒布物本体に積層されてなることが好ましい。
また、サービス券は、周縁がサービス券と面一となる周枠部により包囲されていることが好ましい。
広告用頒布物本体は、全体形状が円形であって、周縁部近傍に手指挿入孔を備えた簡易うちわ状に形成されていることが好ましい。
【発明の効果】
【０００６】
この発明のサービス券付広告用頒布物は、広告情報が記載された広告用頒布物本体の少なくとも一面に、サービス券が、広告用頒布物本体及びサービス券を損傷させることなく剥離可能に接合されてなるものであるから、サービス券を使用するためにサービス券を剥離した後も、サービス券との対応面はもとより、その裏面の広告情報が損なわれることがないので、広告機能の低下が防止される。
【０００７】
広告用頒布物本体及びサービス券が紙製である場合には、安価に製作できる。
サービス券が、２層に分離可能な擬似接着層を含む感熱積層フィルムを介して広告用頒布物本体に接合されてなる場合には、剥離がスムーズに行えることはもとより印刷層の保護も行われ、サービス券剥離後の広告用頒布物本体の外観を良好に保つことができる。
サービス券は、周縁がサービス券と面一となる周枠部により包囲されている場合には、不本意なサービス券のめくれ、剥離が防止される、
広告用頒布物本体が、円形であって、周縁部近傍に手指挿入孔を備えた簡易うちわ状に形成されている場合は、サービス券を剥離した後も、うちわとしての機能が全く損なわれることがなく、しかも広告機能も損なわれることがないという利点を有する。
【発明を実施するための最良の形態】
【０００８】
以下、この発明に係る広告用頒布物の最良の実施形態を図面に基づいて説明する。
図１及び図２は、この発明に係る広告用頒布物の第１実施形態を示すもので、広告用頒布物（Ａ）は、広告用頒布物本体（１）が真円形に形成されると共に、真円の中心を離れた外周よりの位置に手指挿入孔（２）が設けられている。
【０００９】
広告用頒布物本体（１）は、うちわとして機能しうるように、十分に腰のある厚紙から作成され、両面に広告情報が印刷されると共に、その印刷層（３）の表面にポリエチレンからなるラミネート層（４）が設けられている。このラミネート層（４）は、主として防水性を付与するために設けられているものであるが、後述するサービス券形成用シート（10）との接着性の向上にも寄与している。
なお、図１において、図面作成上、前記広告情報のほとんどを図示省略したが、実際には、この広告用頒布物本体（１）にも、サービス券形成用シート（10）と同様に、広告文字情報、図形情報が表示されるものである。もとより、サービス券形成用シート（10）によって覆われる領域にも広告文字情報、図形情報が表示される。
【００１０】
前記サービス券形成用シート（10）は、広告用頒布物本体（１）とは別体として作成された矩形の紙製のもので、表裏両面に広告情報、サービス情報が印刷されているものである。サービス情報とは、主として、無料券、割引券、金券等との表示が記載されていることを意味するものである。図２の拡大断面図においては、印刷層としての図示は省略されている。
このサービス券形成用シート（10）は、図１に示すように、４枚のサービス券（11）（11）（11）（11）とその周枠部（12）とに区画され、各サービス券（11）を任意に剥離して使用するものとなされている。広告用頒布物本体（１）上面に接合された後、その厚さ分だけの切断刃を上方から押し当てることにより、４枚のサービス券（11）（11）（11）（11）とその周枠部（12）とに区画されるものである。
【００１１】
前記サービス券形成用シート（10）を広告用頒布物本体（１）に接合しているのは、それ自体が２層に分離可能な擬似接着層を含む感熱積層フィルム（６）である。
該感熱積層フィルム（６）は、図２に示すように４層からなるもので、最下層のポリエチレン層（６ｂ）上に、ポリエステル層（６ａ）、ポリエステル層（６ａ）及びポリエチレン層（６ａ）が順次、積層されてなるもので、第２層のポリエステル層（６ａ）と第３層のポリエステル層（６ａ）とが擬似的に接着されているものである。
【００１２】
この実施形態のサービス券付広告用頒布物（Ａ）は、次のようにして製作されるものである。
すなわち、先ず最初に、広告用頒布物本体（１）の素材となる厚紙の両面に広告情報、サービス情報を印刷し、その印刷層にポリエチレンラミネートを施し、これを真円形に切断すると共に、手指挿入孔（２）を穿設して、簡易うちわ状広告用頒布物本体（１）を作成する。また、この広告用頒布物本体（１）とは別に、広告用頒布物本体（１）を構成する厚紙よりは薄手の紙を用い、その両面に広告情報、サービス情報を印刷したサービス券形成用シート（10）を作成しておく。
次に、前記広告用頒布物本体（１）の片面に、前記サービス券形成用シート（10）とほぼ同大に裁断された前記感熱積層フィルム（６）を重ね、さらにその上にサービス券形成用シート（10）を重ね合わせた後、これらを加熱すると共に加圧する。この加熱・加圧は、ポリエステル層（６ａ）（６ａ）どうしが互いに溶着することなく擬似的接着が保たれる一方、ポリエチレン層（６ｂ）（６ｂ）が、サービス券形成用シート（10）の裏面及び広告用頒布物本体（１）のポリエチレンラミネート層（４）に溶着する温度、圧力で行われる。
この加熱及び加圧により、サービス券形成用シート（10）側のポリエチレン層（６ｂ）は、サービス券形成用シート（10）の裏面に溶着し、広告用頒布物本体（１）のポリエチレンラミネート層（４）側のポリエチレン層（６ｂ）は、ポリエチレンラミネート層（４）に溶着することにより、サービス券用シート（10）が広告用頒布物本体（１）に擬似的に接合されるのである。
【００１３】
この接合後、サービス券形成用シート（10）の上面から所定の切断刃を押し当て、サービス券形成用シート（10）を、切断刃による切目（13）（13）（13）（13）（13）から各サービス券（11）（11）（11）（11）としての領域に区画する。前記切断刃は、サービス券形成用シート裏面のポリエチレン層（６ｂ）及びポリエステル層（６ａ）までを切断することが目的で、少なくとも広告用頒布物本体（１）にまで達しないように設定されている。
また、この切断により、サービス券形成用シート（10）の周縁部には、周枠部（12）が形成されることになる。この周枠部（12）は、サービス券（11）と面一にあるので、サービス券（11）がコーナー部から不本意にめくれ上がるのを防止する。
【００１４】
而して、上記構成を有するサービス券付広告用頒布物（Ａ）において、サービス券（11）を使用する際に、希望するサービス券（11）の一コーナー部を爪先でめくり始めると、感熱積層フィルム（６）が、擬似接着さているにすぎないポリエステル層（６ａ）とポリエステル層（６ａ）との間で分離され、サービス券（11）の剥離が容易に行える。
また、剥離後のサービス券形成用シート（10）及び広告用頒布物本体（１）のいずれにも損傷が生じることがない。従って、サービス券剥離後の外観体裁、特に広告用頒布物本体（１）の機能面にも影響する外観体裁の低下が生じることがない。
【００１５】
図３は、この発明に係るサービス券付広告用頒布物の第２実施形態を示すもので、サービス券付広告用頒布物（Ｂ）が、チラシやビラよりもやや厚手の紙から作成されてなるパンフレット状に形成されているものである。
広告用頒布物本体（21）の一内面下部に、単数のサービス券（31）が感熱積層フィルム（図示省略）を介して接合されている。サービス券（31）の外周縁は、周枠部（32）により包囲されている。（33）は、分離用切目である。
この実施形態も、第１実施形態と同様に、広告用頒布物本体（21）の所定位置に感熱積層フィルムとサービス券形成用シート（30）とを重ね合わせて加熱及び加圧した後、サービス券形成用シート（10）に所定の切断刃を押し当てることにより、広告用頒布物本体及びサービス券を損傷させることなく剥離可能に接合されているサービス券を有するものとなされている。
【００１６】
図４は、この発明に係るサービス券付広告用頒布物の第３実施形態を示すもので、サービス券付広告用頒布物（Ｃ）が、数頁ないし数十頁からなる情報誌の形態を有するものである。
広告用頒布物本体（41）の一頁の下部に、単数のサービス券（51）が感熱積層フィルム（図示省略）を介して接合されている。サービス券（51）の外周縁は、周枠部（52）により包囲されている。（53）は、分離用切目である。
この実施形態も、第１実施形態と同様に、広告用頒布物本体（21）の所定位置に感熱積層フィルムとサービス券形成用シート（30）とを重ね合わせて加熱及び加圧した後、サービス券形成用シート（10）に所定の切断刃を押し当てることにより、広告用頒布物本体及びサービス券を損傷させることなく剥離可能に接合されているサービス券を有するものとなされている。
【００１７】
なお、上記いずれの実施形態においてもサービス券（11）（31）（51）が、感熱積層フィルム（６）を介して広告用頒布物本体（１）（21）（41）に接合されているが、感熱積層フィルム（６）に替えて、いわゆる擬似接着剤を用いることあり得る。
また、第２実施形態及び第３実施形態において、サービス券が一紙面に１枚しか接合されていないが、一紙面に複数枚が接合されても良いことは言うまでもない。
【図面の簡単な説明】
【００１８】
【図１】この発明に係るサービス券付広告用頒布物の第１実施形態の全体斜視図である。
【図２】同要部の断面図である。
【図３】この発明に係るサービス券付広告用頒布物の第２実施形態の全体斜視図である。
【図４】この発明に係るサービス券付広告用頒布物の第３実施形態の全体斜視図である。
【符号の説明】
【００１９】
Ａ…第１実施形態のサービス券付広告用頒布物（簡易うちわ）
Ｂ…第２実施形態のサービス券付広告用頒布物（パンフレット）
Ｃ…第３実施形態のサービス券付広告用頒布物（情報誌）
１、21、41…広告用頒布物本体
２…手指挿入孔
６…感熱積層フィルム
11、31、51…サービス券
12、32、52…周枠部
【図１】
2005031484.tif 000003
【図２】
2005031484.tif 000004
【図３】
2005031484.tif 000005
【図４】
2005031484.tif 000006